(57)【要約】　【課題】ハニカム材を製造するための設備における溶着機を改良して、技術的簡素化、高い運転信頼性および完成したハニカム材の品質向上を図る。　【解決手段】熱可塑性プラスチックから六角形ハニカム構造を有するブロック要素およびパネル要素を製造するための設備が、プラスチックテープ部分を溶着して膨張性帯状ハニカムプリフォーム（２）とするための外部溶着原理または内部溶着原理に従って作動する溶着機（１）と、帯状ハニカムプリフォーム（２）を成形温度に加熱するための加熱装置（３）と、帯状ハニカムプリフォーム（２）を延伸するための装置（４）と、ブロック（５）または重ね合わされたパネル（５ａ、５ｂ、５ｃ）を帯状ハニカムプリフォーム（２）から切断するための切断装置（５６）とを備える。【選択図】図１
2004136681.tif 000002
【特許請求の範囲】
【請求項１】
　熱可塑性プラスチック材料から六角形ハニカム構造を有するブロック要素およびパネル要素を製造するための設備であって、テープ材料を一定間隔で溶着して帯状の膨張性ハニカムプリフォーム材料とするための溶着機と、前記帯状ハニカムプリフォームを成形温度に加熱するための加熱装置と、前記帯状ハニカムプリフォームを延伸するための装置と、ブロック状またはパネル状構造材料を前記帯状ハニカムプリフォームから切り離すための切断装置とを有し、前記溶着機が互いに溶着されるべきテープ部分のための保持装置と加熱装置とを備えており、該加熱装置が、供給されたテープ部分を帯状にテープ材料の溶着温度に加熱するための、並べて配置された一緒に往復動可能な加熱要素を有し、１溶着サイクル後の前記加熱装置の反対方向への移動によって、マガジン内に供給される各テープ部分内に溶着条片が、先行するテープ部分の溶着条片に対して特定のずれをもって生成され、前記溶着機がさらにテープ部分を溶着して帯状ハニカムプリフォームとするための加圧装置を有する設備において、
　外部溶着原理に従って作動する溶着機（１）が、テープ部分（７）を受容するためのマガジン（６）の双方の正面（６ａ、６ｂ）にそれぞれ配置されたテープ供給機構（８、９）と、テープ保持具（２７）を介してテープ部分（７）を交互に引き入れるために受容マガジン（６）の載置台（２８）上で連続的に作製される帯状ハニカムプリフォーム（２）の移送方向（ａ）を横切ってテープ保持具（２７）と平行にテープ供給機構（８、９）の間を移動可能な搬送要素（２４）とを有し、前記溶着機（１）内に引き入れられたテープ部分（７）を搬送テープ（１１）から切断するための切断装置（２９、３０）がテープ部分（７）を受容するためのマガジン（６）の双方の正面（６ａ、６ｂ）に配置されており、
　前記溶着機（１）がさらに、載置台（２８）の面（４３‐４３）に垂直に上昇可能、下降可能、かつ前記面（４３‐４３）と平行に帯状ハニカムプリフォーム（２）の移送方向（ａ）におよびその反対方向に移動可能な、かみ合い歯（４６）を備えた二つの櫛状部材（４４、４５）を有し、該櫛状部材（４４、４５）が、溶着条片（３６）の領域で互いに溶着されるべきテープ部分（７）の支持機能と、前記溶着条片（３６）の間でのテープ部分（７）の分離機能とを備え、各溶着サイクル後に双方の櫛状部材（４５、４６）の支持機能と分離機能が切り換わり、
　前記溶着機（１）がさらに、帯状ハニカムプリフォーム（２）にその都度溶着されるべきテープ部分（７）のためのテープ保持具（２７）と、双方のテープ供給機構（８、９）から交互に溶着機（１）内に引き入れられたテープ部分（７）と帯状ハニカムプリフォーム（２）の最終テープ部分（７）との条片継目溶着を周期的に行うための並べて配置された加熱要素（３７）と、その都度溶着されるべきテープ部分（７）のための加熱要素（３７）に一体化された加熱要素受容部（３５）とを取付けられた横梁（２６）と、該横梁（２６）をテープ保持具（２７）、加熱要素（３７）および加熱要素受容部（３５）と共に各溶着サイクル後に前側動作位置（２６ｂ）からテープ部分（７）の引入れ平面（４１‐４１）を横切って後側待機位置（２６ａ）へと移動させて新たなテープ部分（７）を引き入れ、引き続き前記横梁（２６）を、テープ保持具（２７）、加熱要素（３７）および加熱要素受容部（３５）と共に各溶着サイクル毎に切り換わる方向（ｄ、ｅ）に一定距離（４２）だけ被溶着テープ部分（７）の引入れ平面（４１‐４１）と平行に横移動させ、かつ前記横梁（２６）をテープ保持具（２７）、加熱要素（３７）および加熱要素受容部（３５）と共に被溶着テープ部分（７）および帯状ハニカムプリフォーム（２）の最終テープ部分（７）に向かって移動させて該テープ部分（７）を条片状に溶着温度に加熱するための駆動装置と、生成される溶着条片（３６）によって帯状ハニカムプリフォーム（２）に溶着されるテープ部分（７）を加圧するべく、加熱要素受容部（３５）のための横梁（２６）上に配置された駆動装置（３８、３９）とを有することを特徴とする設備。
【請求項２】
　熱可塑性プラスチック材料から六角形ハニカム構造を有するブロック要素およびパネル要素を製造するための設備であって、テープ材料を一定間隔で溶着して帯状の膨張性ハニカムプリフォーム材料とするための溶着機と、前記帯状ハニカムプリフォームを成形温度に加熱するための加熱装置と、前記帯状ハニカムプリフォームを延伸するための装置と、ブロック状またはパネル状構造材料を前記帯状ハニカムプリフォームから切り離すための切断装置とを有し、前記溶着機が互いに溶着されるべきテープ部分のための保持装置と加熱装置とを備えており、該加熱装置が、供給されたテープ部分を帯状にテープ材料の溶着温度に加熱するための、並べて配置された一緒に往復動可能な加熱要素を有し、１溶着サイクル後の前記加熱装置の反対方向への移動によって、マガジン内に供給される各テープ部分内に溶着条片が、先行するテープ部分の溶着条片に対して特定のずれをもって生成され、前記溶着機がさらにテープ部分を溶着して帯状ハニカムプリフォームとするための加圧装置を有する設備において、
　内部溶着原理に従って作動する溶着機（５０）が、テープ部分（７）を受容するためのマガジン（６）の双方の正面（６ａ、６ｂ）にそれぞれ配置されたテープ供給機構（８、９）と、テープ保持具（２７）を介してテープ部分（７）を交互に引き入れるために受容マガジン（６）の載置台（２８）上で連続的に作製される帯状ハニカムプリフォーム（２）の移送方向（ａ）を横切ってテープ保持具（２７）と平行にテープ供給機構（８、９）の間を移動可能な搬送要素（２４）とを有し、前記溶着機（５０）内に引き入れられたテープ部分（７）を搬送テープ（１１）から切断するための切断装置（２９、３０）がテープ部分（７）を受容するためのマガジン（６）の双方の正面（６ａ、６ｂ）に配置されており、
　前記溶着機（５０）がさらに、載置台（２８）の面（４３‐４３）に垂直に上昇可能、下降可能、かつ前記面（４３‐４３）と平行に帯状ハニカムプリフォーム（２）の移送方向（ａ）におよびその反対方向に移動可能な、かみ合い歯（４６）を備えた二つの櫛状部材（４４、４５）を有し、該櫛状部材（４４、４５）が、溶着条片（３６）の領域で互いに溶着されるべきテープ部分（７）の支持機能と、前記溶着条片（３６）の間でのテープ部分（７）の分離機能とを備え、各溶着サイクル後に双方の櫛状部材（４４、４５）の支持機能と分離機能が切り換わり、
　前記溶着機（５０）がさらに、並べて配置された歯状加熱要素（５２）と、１溶着サイクルにおいて下方からまたは上方から帯状ハニカムプリフォーム（２）とその都度これに溶着されるべき溶着機（５０）内に引き入れられたテープ部分（７）との間に加熱要素（５２）を引き入れかつ帯状ハニカムプリフォーム（２）と条片状に溶着温度に加熱された加圧されたテープ部分（７）との間の隙間（５３）から加熱要素（５２）を引き出すための駆動装置とを備えた櫛状加熱装置（５１）、テープ保持具（２７）、および条片継目溶着によってその都度帯状ハニカムプリフォーム（２）に溶着されるべきテープ部分（７）のための加圧板（５４）を取付けられた横梁（２６）と、さらに、該横梁（２６）をテープ保持具（２７）、加熱要素（５２）および加圧板（５４）と共に各溶着サイクル後に前側動作位置（２６ｂ）からテープ部分（７）の引入れ平面（４１‐４１）を横切って後側待機位置（２６ａ）へと移動させて新たなテープ部分（７）を引き入れ、引き続き前記横梁（２６）をテープ保持具（２７）、加熱要素（５２）および加圧板（５４）と共に各溶着サイクルで切り換わる方向（ｄ、ｅ）で特定距離（４２）だけ被溶着テープ条片（７）の引入れ平面（４１‐４１）と平行に横移動させ、かつ横梁（２６）をテープ保持具（２７）、加熱要素（５２）および加圧板（５４）と共に帯状ハニカムプリフォーム（２）の各最終テープ部分（７）に向かって動作位置（２６ｂ）へと前進させてテープ部分（７）を条片状に溶着温度に加熱するための駆動装置と、生成される溶着条片（３６）によって帯状ハニカムプリフォーム（２）に溶着されるテープ部分（７）を加圧するべく、加圧板（５４）のための横梁（２６）上に配置された駆動装置（３８、３９）とを有することを特徴とする設備。
【請求項３】
　前記テープ供給機構（８、９）が、巻き取られてパッケージ（１２）とされた搬送テープ（１１）用の繰出しロール（１０）と、転向ローラ（１３）と、搬送テープ（１１）のための加圧ローラ（１５）を備えた被駆動搬送ローラ（１４）と、搬送テープ貯留装置（１６）と、加圧ローラ（１８）を備えた他の転向ローラ（１７）、または搬送テープ（１１）のための長手方向切断装置（１９）とを含むことを特徴とする請求項１または２記載の設備。
【請求項４】
　前記テープ部分（７）を引き入れるための移送要素（２４）がくわえ具（２５）からなることを特徴とする請求項１〜３のいずれか１項記載の設備。
【請求項５】
　前記テープ保持具（２７）が、真空室（３２）を備えた縦桁（３１）として構成されており、該縦桁（３１）が、真空室（３２）に接続された、テープ部分（７）のための吸引孔（３４）を備えた保持横木（３３）を有することを特徴とする請求項１〜４のいずれか１項記載の設備。
【請求項６】
　各二つの保持横木（３３）の間で案内されるクロスヘッド（４０）のための駆動ピストン（３９）を備えた圧力シリンダ（３８）が保持横木（３３）の間でテープ保持具（２７）の縦桁（３１）に配置されており、前記外部溶着機（１）の場合には、加熱要素受容部（３５）を一体化した単数または複数の加熱要素（３７）が前記クロスヘッド（４０）に固定され、また前記内部溶着機（５０）の場合には、溶着されて帯状ハニカムプリフォーム（２）とされるべきテープ部分（７）のための単数または複数の加圧板（５４）が前記クロスヘッド（４０）に固定されていることを特徴とする請求項５記載の設備。
【請求項７】
　前記内部溶着機（５０）が、特殊ゴム製の入れ子（５５）を備えた金属製加圧板（５４）を有することを特徴とする請求項６記載の設備。
【発明の詳細な説明】
【技術分野】
【０００１】
　本発明は、熱可塑性プラスチック材料から六角形ハニカム構造を有するブロック要素およびパネル要素を製造するための設備に関するものである。
【背景技術】
【０００２】
　六角形セル構造を有するプラスチック製ハニカム材は自重が軽く、強度および剛性が高く、製造技術が安価なため、さまざまな技術分野、例えば機械工学において、冷凍技術において断熱材料として、鉄道・道路交通において、建築足場として、航空宇宙産業において、高性能スポーツ器具用に、そしてレーシングカーや外洋レースヨットの製造時にますます利用される。ハニカム材はハイテク機械に所要の安全性と機能性を提供し、航空機の胴体やスペースシャトルにおいて重量を軽減し、翼面やローターブレードに適切な弾性を付与し、外洋ヨットに所要の剛性を与え、軽量のゆえにレーシングカーを高速化する。プラスチック製ハニカム材は加圧時の弾性がアルミニウム製ハニカム材よりもはるかに大きい。そのことが航空機用フロア材料としての利用の増加を根拠付ける。
【０００３】
　本発明は、熱可塑性プラスチック材料から六角形ハニカム構造を有するブロック要素およびパネル要素を製造するための設備であって、テープ材料を一定の間隔で溶着して帯状の膨張性ハニカムプリフォームとするための溶着機と、上記帯状ハニカムプリフォームを成形温度に加熱するための加熱装置と、上記帯状ハニカムプリフォームを延伸するための装置と、ブロックまたは重ね合わされたパネルを帯状ハニカムプリフォームから切り離すための切断装置とを有し、上記溶着機が互いに溶着されるべきテープ部分のための保持装置と加熱装置とを備えており、この加熱装置が、供給されたテープ部分を帯状にテープ材料の溶着温度に加熱するための、並べて配置された一緒に往復動可能な加熱要素を有し、１溶着サイクル後の加熱装置の反対方向への移動によって、マガジン内に供給された各テープ部分内に溶着条片が、先行するテープ部分の溶着条片に対して特定のずれをもって生成され、上記溶着機がさらにテープ部分を溶着して帯状ハニカムプリフォームとするための加圧装置を有する設備に関するものである。
【０００４】
　特許文献１には、ハニカム材を製造するための、本願請求項１および２のおいて書きに記載された種類の設備が記載されており、この設備は、帯状ハニカムプリフォームへと処理されるテープ部分のためのマガジンと、複数の加工ステーションを備えた回転体と、帯状ハニカムプリフォームのための通過マガジンを備えた作製台と、帯状ハニカムプリフォームを加熱するための赤外線放射器と、帯状ハニカムプリフォームを延伸するための拡張ローラ対と、帯状ハニカムプリフォームを個々のブロックに切断するための切断装置とからなる。周期的に駆動される回転体はその周面に均一に分布させた６つのステーションを担持しており、これらのステーションによって各一つのテープ部分が搬送され、溶着条片が形成され、通過マガジンの前で帯状ハニカムプリフォームに加圧される。回転体の各加工ステーションは一つのテープ部分のための半径方向に移動可能な一つの桁状支持体と部分支持体の前で移動可能な一つの条片加熱器と一つのローラ状加圧機構とを含む。条片加熱器が加工ステーションごとに軸線方向に相互に前後にずらされており、帯状ハニカムプリフォーム内で連続するテープ部分は相応にずらされた溶着条片を備えられる。一つの帯状ハニカムプリフォームを製造するとき回転体の周期的回転中に条片加熱器が進出し、部分マガジンから引き取られたテープ部分は部分支持体と櫛状加熱器の加熱要素との間にあり、部分支持体は条片加熱器から戻った位置にある。加工ステーションが３サイクル後に通過マガジンの前に至ると、部分支持体は溶着されるべきテープ部分および往復動可能な作製台と共に、櫛状条片加熱器によって接触できる程度に互いに接近する。次に条片加熱器は部分支持体上のテープ部分と帯状ハニカムプリフォームとの間で引き戻され、接触によってテープ部分と帯状ハニカムプリフォームの相向き合う面に溶着条片が生成される。最後に、溶着されるべきテープ部分を有するテープ部分支持体と帯状ハニカムプリフォームを有する通過マガジンが互いにさらに接近し、溶着条片同士が遭遇することになる。次に部分支持体と通過マガジンが再び離反し、回転体が周期的に継続回転する。その際、通過マガジンから離反する加工ステーションの加圧器のローラは溶着されたテープ部分上に移動し、これによりテープ部分の帯状ハニカムプリフォームに対する再加圧とテープ部分の厚さだけのブロックの送りとが引き起こされる。この運転経過は回転体の次の加工ステーションが帯状ハニカムプリフォームの前に来ると繰り返される。
【０００５】
　ハニカム材を製造するためのこの従来の設備の溶着機は以下の欠点を有する。
【０００６】
　帯状ハニカムプリフォームに溶着されるべきテープ部分用の幾つかの加工ステーションが配置された周期的に駆動される回転体を有する溶着機構造は技術的に高価になる。また、運転時、回転体の加工ステーションの加圧ローラに材料残留物が付着したままとなり、溶着機の運転が乱されて自動的に停止する虞がある。この溶着機は結局、溶着されるべきテープ部分上を加圧ローラが転動するときテープ部分が帯状ハニカムプリフォーム上でずれ、これにより、仕上げられたハニカム材の品質が劣化する傾向にある。
【特許文献１】独国特許出願公開第１９８３０３８０号明細書
【発明の開示】
【発明が解決しようとする課題】
【０００７】
　本発明の課題は、ハニカム材を製造するための本願請求項１および２のおいて書きに記載された種類の設備のための溶着機の構造を、技術的簡素化、高い運転信頼性および完成したハニカム材の品質向上を顧慮して改良することにある。
【課題を解決するための手段】
【０００８】
　本発明によれば、外部溶着原理に従って作動する請求項１の溶着機と、内部溶着原理に基づく請求項２の溶着機とによって上記課題が解決される。従属請求項は本発明の有利かつ望ましい諸構成を内容としている。
【発明の効果】
【０００９】
　本発明に係る溶着機は品質の優れたハニカム材の製造を可能とし、高い運転信頼性を有する。
【発明を実施するための最良の形態】
【００１０】
　以下、本発明によるハニカム材製造設備の溶着機の二つの実施例について、図面を参照して説明する。図において、同一または類似の部材には同じ符号を付してある。
【００１１】
　熱可塑性プラスチックから六角形ハニカム構造を有するブロック要素およびパネル要素を製造するための図１に示す設備は、プラスチックテープ部分を溶着して膨張性帯状ハニカムプリフォーム２を作製するための溶着機１と、上記帯状ハニカムプリフォーム２を成形温度に加熱するための加熱装置３と、上記帯状ハニカムプリフォーム２を延伸するための装置４と、ブロック５または重なり合ったパネル５ａ、５ｂ、５ｃを帯状ハニカムプリフォーム２から切り離すための切断装置５６とを含む。
【実施例１】
【００１２】
　外部溶着原理に従って作動する図２〜図５の溶着機１は、テープ部分７を受容するためのマガジン６の双方の正面６ａ、６ｂに配置される二つのテープ供給機構８、９を備えている。テープ供給機構８、９は、巻き取られてパッケージ１２とされた搬送テープ１１の繰出しロール１０と、繰出しロール１０から垂直平面で繰り出される搬送テープ１１を水平平面へと９０°転向させるための転向ローラ１３と、搬送テープ１１のための加圧ローラ１５を備えた被駆動搬送ローラ１４と、搬送テープ貯留装置１６と、加圧ローラ１８を備えた他の転向ローラ１７、または転向ローラ１７の代りに搬送テープ１１用の長手方向切断装置１９とをそれぞれ一つずつ含む。
【００１３】
　搬送テープ１１を例えば３条の重なり合った個々のテープ１１ａ、１１ｂ、１１ｃに切り離すための図６、図７に示す長手方向切断装置１９は、二つの溝刃２１を備えた回転軸２０と、溝刃２１と協働する二つの円盤カッター２３を備えた回転軸２２とからなる。長手方向切断装置１９を利用すると、重なり合った層に分割された帯状ハニカムプリフォームの製造が可能となり、帯状ハニカムプリフォームはハニカム構造を有するパネル状構造材料へと延伸される。
【００１４】
　溶着機１のくわえ具２５として構成された送り要素２４は、横梁２６に取付けられたテープ保持具２７を介してテープ部分７を交互に引き入れるために、受容マガジン６の載置台２８上で連続的に作製される帯状ハニカムプリフォーム２もしくは帯状ハニカムプリフォームブロックの搬送方向ａを横切ってテープ保持具２７と平行に双方のテープ供給機構８、９の間を移動可能である。
【００１５】
　溶着機１内に引き入れられたテープ部分７を搬送テープ１１から切り離するための揺動可能な切断装置２９、３０がテープ部分７の受容マガジン６の双方の正面６ａ、６ｂに配置されている。
【００１６】
　横梁２６に固着されたテープ保持具２７は、真空室３２を備えた縦桁３１として構成されており、この縦桁３１は、真空室３２に接続されるテープ部分７の吸引孔３４を備えた保持横木３３を有する。
【００１７】
　双方のテープ供給機構８、９から交互に溶着機１内に引き入れられたテープ部分７を帯状ハニカムプリフォーム２の最終テープ部分７と一定間隔で溶着するために、横梁２６にはテープ保持具２７の他に、それぞれ冷却室を含む一つの加熱要素受容部３５と一つの加熱要素３７とからなる加熱並べて配置される加熱桁が設けられている。
【００１８】
　帯状ハニカムプリフォーム２に対し溶着されるべきテープ部分７を押し付けるために、テープ保持具２７の縦桁３１上の２本の保持横木３３の間には、２本の保持横木３３の間で案内されるクロスヘッド４０のための駆動ピストン３９を備えた圧力シリンダ３８が配置され、このクロスヘッド４０に加熱桁が伸縮自在に固定されている。
【００１９】
　溶着機１はさらに、横梁２６をテープ保持具２７、加熱要素３７および加熱要素受容部３５と共に各溶着サイクル後に前側動作位置からテープ部分７の引入れ平面４１‐４１を矢印ｂ方向に横切って後側待機位置へと移動させて新たなテープ部分７を引き入れ、引き続き横梁２６をテープ保持具２７、加熱要素３７および加熱要素受容部３５と共に各溶着サイクルで切り換わる方向ｄ、ｅに特定距離４２だけ被溶着テープ部分７の引入れ、平面４１‐４１と平行に横移動させ、引き続き横梁２６をテープ保持具２７、加熱要素３７および加熱要素受容部３５と共に矢印ｃ方向に被溶着テープ部分７および帯状ハニカムプリフォーム２の最終テープ部分７に向かって動作位置へと前進させてテープ部分７を条片状に溶着温度に加熱するための駆動装置を備えており、テープ部分７は加熱要素３７によって生成される溶着条片３６を介して加熱要素受容部３５によって互いに溶着される。
【００２０】
　溶着機１はさらに、テープ部分７の受容マガジン６の載置台２８の平面４３‐４３に垂直に上昇可能、下降可能、かつ台平面４３‐４３と平行に帯状ハニカムプリフォーム２の搬送方向ａに、およびその逆方向に移動可能な、かみ合い歯４６を備えた二つの櫛状部材４４、４５を備えており、これら櫛状部材は、溶着条片３６の領域において互いに溶着されるべきテープ部分７の支持機能と、溶着条片３６の間におけるテープ部分７の分離機能とを備え、各溶着サイクル後に双方の櫛状部材４４、４５の支持機能と分離機能とが切り換わる。
【００２１】
　図４ａと図４ｂは、二つの連続する溶着サイクルにおいてテープ保持具２７、加熱要素３７および加熱要素受容部３５と共に横梁２６の動作位置および櫛状部材４４、４５の動作位置が切り換わることを示す。
【００２２】
　六角形ハニカム構造を生成するために横梁２６が加熱桁と共に溶着サイクルごとに横に相反する方向ｄ、ｅで特定距離４２だけ往復移動し、連続的に作製される帯状ハニカムプリフォーム２の二つの連続するテープ部分の溶着条片３６もしくは溶着継目が加熱桁の横移動４２に応じて互いにずらされ、溶着条片３６のずれによって帯状ハニカムプリフォーム２の延伸時に六角形ハニカム構造が自動的に生じる。
【００２３】
　例えば図４ａに示す溶着サイクルのとき部材４４が互いに溶着されるべき双方のテープ部分７に対して支持機能を、また部材４５が分離機能を発揮し、それに続く図４ｂの溶着サイクルのときには部材４４が分離機能を、また部材４５が支持機能を引き受けるように、かみ合い歯４６を備えた櫛状部材４４、４５が連続する溶着サイクルにおいて調整される。
【００２４】
　図５ａ〜図５ｂによれば、１溶着サイクルのときに図５ａの後側待機位置２６ａにある横梁２６は加熱要素３７およびこれに一体化された加熱要素受容部３５と共にまず横に、次に矢印ｃ方向に前方に動作位置２６ｂへと移動する。その際、溶着機１内に引き入れられたテープ部分７はテープ保持具２７によってその吸引孔３４を介して吸引され、帯状ハニカムプリフォーム２の最終テープ部分７に向かって動かされる（図５ｂ）。その後、帯状ハニカムプリフォーム２の最終テープ部分７とこれに溶着されるべきテープ部分７は加熱位置３７ａにある加熱要素３７によって、パルス状に流れる加熱電流を利用して条片状に溶着温度に加熱され、双方のテープ部分７はテープ部分内に生成される溶着条片３６を介して、圧力シリンダ３８から加熱要素受容部３５を介して伝達される一定した押付圧力を受けて互いに溶着される（図５ｃ）。その後、横梁２６はテープ保持具２７、加熱要素３７および加熱要素受容部３５と共に待機位置２６ａに戻される（図５ｄ）。
【００２５】
　完成したブロック材料５もしくはパネル材料５ａ、５ｂ、５ｃの六角形ハニカム構造のセル幅４７は個々のテープ部分２７から溶着して繋ぎ合わせられた帯状ハニカムプリフォーム２の溶着条片３６の間隔４８によって決まり、この帯状ハニカムプリフォームがブロック材料もしくはパネル材料へと延伸される。
【００２６】
　特定セル幅もしくはハニカム幅用に必要な間隔で加熱要素３７を有するテープ保持具２７と、加熱要素３７の間隔４８に対応した間隔４９でかみ合い歯４６を備えて交互に支持要素または分離要素として働く櫛状部材４４、４５とを組み込むことによって、溶着機１は所望のセル幅を有するハニカム材の作製に装備変更することができる。
【００２７】
　前記溶着機は、採用されるパルス溶着法に起因して高温になるので、加熱要素用水冷部を備えている。
【実施例２】
【００２８】
　内部溶着原理に従って作動する図８〜図１１の溶着機５０は、溶着して帯状ハニカムプリフォームとされるテープ部分を条片状に加熱するための加熱装置とテープ部分を溶着するための加圧テープ板との構造において、実施例１の外部溶着機と相違している。
【００２９】
　内部溶着機５０の横梁２６には、テープ保持具２７の他に櫛状加熱装置５１が取付けられており、この加熱装置５１は、双方のテープ供給機構８、９から交互に溶着機５０内に引き入れられたテープ部分７を帯状ハニカムプリフォーム２の最終テープ部分７と一定間隔に溶着するための並べて配置された歯状加熱要素５２と、１溶着サイクルにおいて帯状ハニカムプリフォーム２とその都度これに溶着されるべきテープ部分７との間に下から矢印ｆ方向に加熱要素５２を押し込みかつ帯状ハニカムプリフォーム２と条片状に溶着温度に加熱された加圧されたテープ部分７との間の隙間５３から矢印ｇ方向に加熱要素５２を引き出すための駆動装置とを備えている。
【００３０】
　帯状ハニカムプリフォーム２に溶着されるべきテープ部分７を加圧するために、それぞれ二つの保持横木の間で案内されるクロスヘッド４０のための駆動ピストン３９を有する圧力シリンダ３８が保持横木３３の間でテープ保持具２７の縦桁３１に配置されており、特殊ゴムからなる入れ子５５を備えた二つの加圧板５４がこのクロスヘッド４０に固定されている。
【００３１】
　図１１ａ〜図１１ｄによれば、１溶着サイクルにおいて双方のテープ供給機構８、９の一方からテープ部分７をくわえ具２５によって溶着機５０内に引き入れ後、下側待機位置５１ａにある加熱装置５１が矢印ｆ方向に上側中間位置５１ｂに持ち上げられ、加熱要素５２は帯状ハニカムプリフォーム２と溶着されるべきテープ部分７との間を移動する（図１１ａおよび図１１ｂ）。引き続き、図１１ａ、図１１ｂの後側待機位置２６ａにある横梁は加熱装置５１および加圧板５４と共にまず横に、次に矢印ｃ方向に前方に動作位置２６ｂ、５１ｃへと移動する。その際、溶着機５０内に引き入れられたテープ部分７はテープ保持具２７によってその吸引孔３４を介して吸引され、帯状ハニカムプリフォーム２の最終テープ部分７に向かって移動される（図１１ｃ）。その後、帯状ハニカムプリフォーム２の最終テープ部分７とこれに溶着されるべきテープ部分７は加熱位置５２ａにある加熱要素５２によって加熱電流を利用して条片状に溶着温度に加熱され、引き続き加熱要素５２は加熱装置５１を下方に矢印ｇ方向に待機位置５２ｂに移動させることによって帯状ハニカムプリフォーム２とテープ部分７との間の隙間５３から引き出され、双方のテープ部分７はテープ部分内に生成される溶着条片３６を介して、圧力シリンダ３８から加圧テープ板５４を介して伝達される一定した押圧力を受けて互いに溶着される（図１１ｄ）。最後に横梁２６はテープ保持具２７、加熱要素５２および加圧板５４と共に待機位置２６ａに戻される（図１１ａ）。
【００３２】
　実施例１の外部溶着原理に従って作動する溶着機と、実施例２の内部溶着原理に従って作動する溶着機とのいずれを使用するかは素材によって決まる。例えば不織布は内部溶着機でのみ処理できる。
【００３３】
　双方の溶着機タイプは、熱可塑性プラスチックからなる両面被覆を有する膨張性複合材を処理する可能性を提供する。
【図面の簡単な説明】
【００３４】
【図１】六角形ハニカム構造を有するブロック要素およびパネル要素を製造するための設備の略図である。
【図２】外部溶着原理に従って作動する溶着機の平面図である。
【図３】図２の部分III の拡大図である。
【図４】図４ａおよびと図４ｂは、二つの連続する溶着サイクルにおいて構造要素の動作位置が切り換わる溶着機の平面図である。
【図５】図５ａ〜図５ｄは、１溶着サイクルにおける溶着機の構造要素の運動経過を示す図である。
【図６】処理されるべき搬送テープを個々のテープに切断するための長手方向切断装置の平面図である。
【図７】長手方向切断装置の拡大側面図である。
【図８】内部溶着原理に従って作動する溶着機の平面図である。
【図９】図８の部分IXの拡大図である。
【図１０】図１０aおよび図１０ｂは二つの連続する溶着サイクルにおいて構造要素の動作位置が切り換わる溶着機の平面図である。
【図１１】図１１ａ〜図１１ｄは、１溶着サイクルにおける溶着機の構造要素の運動経過を示す図である。
【符号の説明】
【００３５】
　１、５０　　溶着機
　２　　帯状ハニカムプリフォーム
　３、５１　　加熱装置
　４　　延伸装置
　５　　ブロック
　５ａ、５ｂ、５ｃ　　パネル
　６　　マガジン
　７　　テープ部分
　８、９　テープ供給機構
　１０　　繰出しロール
　１１　　搬送テープ
　１９　　長手方向切断装置
　２１　　溝刃
　２３　　円盤カッター
　２７　　テープ保持具
　２８　　載置台
　２９、３０　　切断装置
　３７、５２　　加熱要素
　３８　　圧力シリンダ
　３９　　駆動ピストン
　４４、４５　　櫛状部材
　４６　　かみ合い歯
【図１】
2004136681.tif 000003
【図２】
2004136681.tif 000004
【図３】
2004136681.tif 000005
【図４】
2004136681.tif 000006
【図５】
2004136681.tif 000007
【図６】
2004136681.tif 000008
【図７】
2004136681.tif 000009
【図８】
2004136681.tif 000010
【図９】
2004136681.tif 000011
【図１０】
2004136681.tif 000012
【図１１】
2004136681.tif 000013